(57)【特許請求の範囲】
【請求項１】
給湯熱交換器と、この給湯熱交換器の出側に接続される給湯通路と、この給湯通路の途中の分岐接続点から分岐した分岐通路と、この分岐通路に設けられた開閉制御弁と、分岐通路に接続されて浴槽への湯張りと浴槽の湯の追い焚きを行う追い焚き循環路と、前記開閉制御弁よりも下流側の分岐通路又は追い焚き循環路に設けられた浴槽水位検出用の圧力センサとを備え、前記給湯熱交換器から出湯される湯を前記開閉制御弁から追い焚き循環路を経由して浴槽に落とし込む給湯湯張り装置であって、前記分岐通路は水道圧によって給湯熱交換器側の湯を浴槽側に落とし込む直結式の通路によって形成され、前記給湯通路には前記分岐接続点よりも下流側位置に常閉逆止弁が設けられ、この常閉逆止弁は、前記給湯通路の出側に設けられる給湯栓が閉じられている状態で前記開閉制御弁が開閉されたときに前記常閉逆止弁の上流側で発生するウォータハンマを緩和して前記圧力センサのウォーターハンマによる破損保護を図るための圧力ダンパ機能を有していることを特徴とする給湯湯張り装置。
【請求項２】
給湯熱交換器と、この給湯熱交換器の出側に接続される給湯通路と、この給湯通路の途中の分岐接続点から分岐した分岐通路と、この分岐通路に設けられた開閉制御弁と、分岐通路に接続されて浴槽への湯張りを行う湯張り通路と、前記開閉制御弁よりも下流側の分岐通路又は湯張り通路に設けられた浴槽水位検出用の圧力センサとを備え、前記給湯熱交換器から出湯される湯を前記開閉制御弁から湯張り通路を経由して浴槽に落とし込む給湯湯張り装置であって、前記分岐通路は水道圧によって給湯熱交換器側の湯を浴槽側に落とし込む直結式の通路によって形成され、前記給湯通路には前記分岐接続点よりも下流側位置に常閉逆止弁が設けられ、この常閉逆止弁は、前記給湯通路の出側に設けられる給湯栓が閉じられている状態で前記開閉制御弁が開閉されたときに前記常閉逆止弁の上流側で発生するウォータハンマを緩和して前記圧力センサのウォーターハンマによる破損保護を図るための圧力ダンパ機能を有していることを特徴とする給湯湯張り装置。
【請求項３】
給湯熱交換器の入口側には給水管路が接続され、給湯熱交換器の前記給水管路と給湯通路は前記給湯熱交換器を迂回するバイパス通路によって連通されており、前記給湯通路には前記バイパス通路の接続位置よりも下流側の位置に分岐接続点が設けられ、この分岐接続点から分岐通路が分岐されていることを特徴とする請求項１又は請求項２記載の給湯湯張り装置。
【発明の詳細な説明】
【０００１】
【産業上の利用分野】
本発明は、給湯熱交換器の給湯通路の途中に、湯張りや注水を行う直結式の分岐通路が接続されている給湯湯張り装置に関するものである。
【０００２】
【従来の技術】
図３には、浴槽１への湯張りや注水を水道圧により行うことが可能な給湯湯張り装置としての給湯機能付風呂装置の一例が模式図により示されている。この給湯機能付の風呂装置２は、本出願人が以前に提案した装置であり、自動風呂釜（複合給湯器）として知られており、ケース３内に、給湯熱交換器４と追い焚き熱交換器５とが並設されている。
【０００３】
追い焚き熱交換器５の入口側には入側管路（戻り側管路）６が接続されており、追い焚き熱交換器５の出側には出側管路（往側管路）７が接続されており、入側管路６の入口側と出側管路７の出口側は、循環金具12を介して浴槽１の側壁に連結されている。そして、これら入側管路６と追い焚き熱交換器５と出側管路７とで、浴槽１内の湯水を循環して追い焚きを行ったり、前記給湯熱交換器４側からの湯の湯張りを行ったりする追い焚き循環路13が形成されており、入側管路６にはこの浴槽湯水の循環を行う循環ポンプ14が組み込まれている。なお、入側管路６に設けられている番号の15は湯水の流れを検出する流水スイッチ、16は浴槽１内の湯水の温度を検出する風呂温度センサである。
【０００４】
前記給湯熱交換器４の入口側には給水管路17が接続され、給湯熱交換器４の出側には給湯通路20が接続されており、この給湯通路20は、所望の給湯場所に配管され、給湯栓23が接続されている。
【０００５】
前記給湯通路20の途中の分岐接続点38には、分岐通路30の一端側が接続されており、分岐通路30の他端側は入側管路６に接続されて、給湯通路20と入側管路６とは分岐通路30を介して連通されており、給湯熱交換器４側からの湯水が分岐通路30を介し、入側管路６を通して浴槽１への湯張りが行われるようになっている。分岐通路30には開閉制御弁として機能する注湯電磁弁31が介設されており、分岐通路30には、注湯電磁弁31よりも下流側に、浴槽１内の湯水の水位を水圧によって検出する浴槽水位検出用の圧力センサ37が設けられている。
【０００６】
なお、図中、32は給水流量を検出する流量センサ、33は入水温度を検出する入水温度センサ、34は出湯温度を検出する出湯温度センサ、35は給湯熱交換器４からの給湯流量を調整する水量調整弁、36は必要に応じ設けられるバイパス通路である。
【０００７】
この種の給湯装置において、給湯と、湯張りと、追い焚きの動作は制御装置（図示せず）によって制御されており、給湯運転にあっては、給水温度を給湯の設定温度にすべく、バーナを燃焼して給湯熱交換器４を通る水を燃焼火力でもって加熱して設定温度の湯にし、給湯通路20を通して給湯を行う。
【０００８】
また、湯張り動作時には、注湯電磁弁３１を開け、給湯熱交換器４で作り出した湯を分岐通路３０を通して追い焚き循環路１３に導き、この追い焚き循環路１３から浴槽１内に落とし込み、流量センサ３２で検出される落とし込み水量が設定水位の水量となったとき（あるいは圧力センサ３７で検出される浴槽１内の水位が設定水位になったとき）に注湯電磁弁３１を閉じて湯張り動作を終了する。なお、図３に示した風呂装置２の分岐通路３０は、水道圧によって給湯熱交換器４側の湯を浴槽１側に落とし込む直結式の通路によって形成されており、このような直結式の分岐通路３０を備えた風呂装置においては、前記湯張り動作は、水道圧によって、給湯熱交換器４側の湯を分岐通路３０を通して浴槽１側に落とし込んで行うようになっている。
【０００９】
また、この風呂装置２の前記湯張り動作において、給湯熱交換器４のバーナを燃焼させないで、給水管路17から供給される水を、同様に、注湯電磁弁31を開けて浴槽１に落とし込むことにより、浴槽１に水が張られる。
【００１０】
追い焚き動作時には、前記注湯電磁弁31を閉じた状態で循環ポンプ14を起動することにより、浴槽１内の湯水は追い焚き循環路13を循環し、このとき、追い焚き熱交換器５のバーナ燃焼を行うことにより、循環湯水は、追い焚き熱交換器５を通るときに加熱されて追い焚きが行われ、風呂温度センサ16で検出される浴槽１内の湯温が風呂の設定温度に達したときに、循環ポンプ14を停止して追い焚き動作を終了する。
【００１１】
上記の如く、制御装置の運転制御により、給湯と、湯張りと、追い焚きの各運転が自動的に行われることとなる。
【００１２】
【発明が解決しようとする課題】
ところで、上記直結式の分岐通路30を備えた風呂装置２において、湯張り動作を行うときは、通常、給湯栓23を閉めた状態で注湯電磁弁31が開けられて湯張りが行われるが、このとき、注湯電磁弁31の開閉時に注湯電磁弁31付近の圧力が急激に変化すると、注湯電磁弁31と給湯栓23との間で衝撃的な波が生じ、この衝撃的な水圧が圧力センサ37にかかり、いわゆるウォーターハンマが発生するという問題があり、このウォーターハンマにより、ときには、圧力センサ37が破損してしまうといった問題があった。
【００１３】
本発明は上記課題を解決するためになされたものであり、その目的は湯張り動作時に、ウォーターハンマにより圧力センサが破損することのない給湯機能付風呂装置を提供することにある。
【００１４】
【課題を解決するための手段】
本発明は上記目的を達成するために、次のように構成されている。すなわち、本第１の発明は、給湯熱交換器と、この給湯熱交換器の出側に接続される給湯通路と、この給湯通路の途中の分岐接続点から分岐した分岐通路と、この分岐通路に設けられた開閉制御弁と、分岐通路に接続されて浴槽への湯張りと浴槽の湯の追い焚きを行う追い焚き循環路と、前記開閉制御弁よりも下流側の分岐通路又は追い焚き循環路に設けられた浴槽水位検出用の圧力センサとを備え、前記給湯熱交換器から出湯される湯を前記開閉制御弁から追い焚き循環路を経由して浴槽に落とし込む給湯湯張り装置であって、前記分岐通路は水道圧によって給湯熱交換器側の湯を浴槽側に落とし込む直結式の通路によって形成され、前記給湯通路には前記分岐接続点よりも下流側位置に常閉逆止弁が設けられ、この常閉逆止弁は、前記給湯通路の出側に設けられる給湯栓が閉じられている状態で前記開閉制御弁が開閉されたときに前記常閉逆止弁の上流側で発生するウォータハンマを緩和して前記圧力センサのウォーターハンマによる破損保護を図るための圧力ダンパ機能を有していることを特徴として構成されている。
【００１５】
また、本第２の発明は、給湯熱交換器と、この給湯熱交換器の出側に接続される給湯通路と、この給湯通路の途中の分岐接続点から分岐した分岐通路と、この分岐通路に設けられた開閉制御弁と、分岐通路に接続されて浴槽への湯張りを行う湯張り通路と、前記開閉制御弁よりも下流側の分岐通路又は湯張り通路に設けられた浴槽水位検出用の圧力センサとを備え、前記給湯熱交換器から出湯される湯を前記開閉制御弁から湯張り通路を経由して浴槽に落とし込む給湯湯張り装置であって、前記分岐通路は水道圧によって給湯熱交換器側の湯を浴槽側に落とし込む直結式の通路によって形成され、前記給湯通路には前記分岐接続点よりも下流側位置に常閉逆止弁が設けられ、この常閉逆止弁は、前記給湯通路の出側に設けられる給湯栓が閉じられている状態で前記開閉制御弁が開閉されたときに前記常閉逆止弁の上流側で発生するウォータハンマを緩和して前記圧力センサのウォーターハンマによる破損保護を図るための圧力ダンパ機能を有していることを特徴として構成されている。さらに、本第３の発明は前記第１又は第２の発明の構成を備えた上で、給湯熱交換器の入口側には給水管路が接続され、給湯熱交換器の前記給水管路と給湯通路は前記給湯熱交換器を迂回するバイパス通路によって連通されており、前記給湯通路には前記バイパス通路の接続位置よりも下流側の位置に分岐接続点が設けられ、この分岐接続点から分岐通路が分岐されていることを特徴として構成されている。
【００１６】
【作用】
上記構成の本発明において、給湯通路には、分岐接続点よりも下流側位置に、圧力センサのウォーターハンマによる破損保護のための圧力ダンパ機能を有する常閉逆止弁が設けられており、この常閉逆止弁の圧力ダンパ機能によってウォーターハンマが緩和され、ウォーターハンマによる圧力センサの損失が防止される。
【００１７】
【実施例】
以下、本発明の実施例を図面に基づいて説明する。なお、本実施例の説明において、従来例と同一の名称部分には同一符号を付し、その重複説明は省略する。図１には、本発明に係る給湯湯張り装置の第１の実施例の要部構成が示されている。本実施例の装置も従来例と同様の給湯機能付風呂装置であり、本実施例が図３に示した従来の風呂装置と異なる特徴的なことは、給湯通路２０の分岐接続点３８よりも下流側位置に、圧力センサ３７のウォーターハンマによる破損保護のための、圧力ダンパ機能を有する常閉の逆止弁４０を設けたことであり、それ以外の構成は図３に示した風呂装置と同様に構成されている。
【００１８】
本実施例は以上のように構成されており、本実施例でも従来例と同様に、風呂装置２に設けられている制御装置（図示せず）の運転制御により、給湯と、湯張りと、追い焚きの各運転が自動的に行われるが、本実施例では、給湯通路20の分岐接続点38よりも下流側位置に常閉の逆止弁40が設けられており、湯張り動作時に、給湯栓23を閉めた状態で注湯電磁弁31を開けたときに、注湯電磁弁31から給湯栓23にかけて、すなわち、分岐接続点38よりも下流側の給湯通路20から分岐通路30側にかけて生じる衝撃波が、常閉逆止弁40の圧力ダンパ機能により緩和され、ウォーターハンマが緩和されて、ウォーターハンマによる圧力センサ37の破損が防止される。
【００１９】
本実施例によれば、上記のように、従来の、直結式の分岐通路30を備えた風呂装置２において問題となっていた、湯張り動作時のウォーターハンマによる圧力センサ37の破損が、常閉逆止弁40の圧力ダンパ機能により防止されるために、支障なく湯張り動作を開始することが可能となり、安心して湯張り動作を行うことができるようになるし、圧力センサ37のメンテナンス等の手間も省くことができる。
【００２０】
図２には、本発明に係る給湯湯張り装置の第２の実施例の要部構成が示されている。本実施例の装置は自動注湯付給湯装置であり、本実施例が上記第１の実施例と異なる特徴的なことは、分岐通路30に、浴槽１への湯張りと浴槽１の湯の追い焚きを行う追い焚き循環路13を設ける代わりに、浴槽１への湯張りのみを行う湯張り通路８を設けたことであり、湯張り通路８は金具12を介して浴槽１に接続されている。また、本実施例では、循環ポンプ14、流水スイッチ15、風呂温度センサ16は省略されている。
【００２１】
本実施例は以上のように構成されており、この給湯装置９に設けられている制御装置（図示せず）の運転制御により、上記第１の実施例の風呂装置２と同様に、給湯と湯張りの各運転が自動的に行われ、湯張り動作時には、常閉逆止弁40の圧力ダンパ機能によるウォーターハンマの緩和が行われる。そのため、本実施例でも湯張り動作時のウォーターハンマによる圧力センサ37の破損は防止され、上記第１の実施例と同様の効果を奏する。
【００２２】
なお、本発明は上記実施例に限定されることはなく、様々な実施の態様を採り得る。例えば、上記実施例では、圧力センサ37は、分岐通路30の注湯電磁弁31よりも下流側位置に設けたが、上記第１の実施例のような風呂装置２においては、圧力センサ37を追い焚き循環路13の入側管路６に設けてもよく、上記第２の実施例のような給湯装置９においては、圧力センサ37を湯張り通路８に設けても構わない。
【００２３】
また、上記第１の実施例では、給湯熱交換器４と追い焚き熱交換器５とが１つのケース３内に並設されている風呂装置２としたが、給湯熱交換器４と追い焚き熱交換器５とは別個のケースにそれぞれ配設されていても構わない。
【００２４】
【発明の効果】
本発明によれば、給湯通路には、分岐接続点よりも下流側位置に、圧力センサのウォーターハンマによる破損保護のための圧力ダンパ機能を有する常閉逆止弁が設けられているために、水道圧によって給湯熱交換器側の湯を浴槽側に落とし込む直結式の分岐通路を備えている給湯湯張り装置において、湯張り動作開始時に問題となっていた、ウォーターハンマの発生を緩和することが可能となり、ウォーターハンマによる圧力センサの破損を防止することができる。そのため、圧力センサのメンテナンス等の手間を格段と少くすることが可能となり、しかも、安心して安全な湯張り動作等の各動作を行うことができるようになる。
【図面の簡単な説明】
【図１】本発明に係る給湯湯張り装置の第１の実施例を模式図により示す要部構成図である。
【図２】本発明に係る給湯湯張り装置の第２の実施例を模式図により示す要部構成図である。
【図３】本出願人が以前に提案している、直結式の分岐通路を備えた給湯湯張り装置を模式図により示す説明図である。
【符号の説明】
４  給湯熱交換器
８  湯張り通路
13  追い焚き循環路
20  給湯通路
23  給湯栓
30  分岐通路
31  注湯電磁弁
40  逆止弁
【図１】
0003691531.tif 000002
【図３】
0003691531.tif 000003
【図２】
0003691531.tif 000004